(57)【要約】【課題】ロングサイズのベッドは極めて稀にしか需要がないが、ベッド製作メーカーでは、不意の注文に備えてロングサイズベッド用のサイドフレームも在庫しておく必要があった。【解決手段】ヘッド枠１とフット枠２とを左右のサイド部材３，３で連結したベッドにおけるヘッド枠１（又はフット枠）とサイド部材３，３との間に介設してベッド長さを延長させるためのベッド長さ延長具であって、ベッド長さ方向に所定の幅Ｍを有した左右一対の延長具本体５０，５０を使用し、各延長具本体５０には、延長具本体をヘッド枠１（又はフット枠）に連結できる連結手段６Ａ（又は６Ｃ）と、延長具本体をサイド部材３に連結できる連結手段６Ｂ（又は６Ｄ）とをそれぞれ設けており、この延長具を使用することにより、既存の標準サイズ長さ用のベッド骨格を併用してロングサイズのベッドを製作でき、さらに現在使用中の標準サイズベッドであってもロングサイズベッドに変更できる。【選択図】  図１
2011005156.tif 000002
【特許請求の範囲】
【請求項１】
ヘッド枠（１）とフット枠（２）とをサイドフレーム又はボックス引出し等の左右のサイド部材（３，３）で連結したベッドにおけるヘッド枠（１）とサイド部材（３，３）との間に介設してベッド長さを延長させるためのベッド長さ延長具であって、
ベッド長さ方向に所定の幅（Ｍ）を有した左右一対の延長具本体（５０，５０）を使用しているとともに、
各延長具本体（５０，５０）には、延長具本体（５０）のヘッド枠対面部に延長具本体（５０）をヘッド枠（１）に連結できるヘッド枠連結手段（６Ａ）と、延長具本体（５０）のサイド部材対面部に延長具本体（５０）をサイド部材（３）に連結できるサイド枠連結手段（６Ｂ）とをそれぞれ設けている、
ことを特徴とするベッド長さ延長具。
【請求項２】
ヘッド枠（１）とフット枠（２）とをサイドフレーム又はボックス引出し等の左右のサイド部材（３，３）で連結したベッドにおけるフット枠（２）とサイド部材（３，３）との間に介設してベッド長さを延長させるためのベッド長さ延長具であって、
ベッド長さ方向に所定の幅（Ｍ）を有した左右一対の延長具本体（５０，５０）を使用しているとともに、
各延長具本体（５０，５０）には、延長具本体（５０）のフット枠対面部に延長具本体（５０）をヘッド枠（１）に連結できるヘッド枠連結手段（６Ｃ）と、延長具本体（５０）のサイド部材対面部に延長具本体（５０）をサイド部材（３）に連結できるサイド枠連結手段（６Ｄ）とをそれぞれ設けている、
ことを特徴とするベッド長さ延長具。
【発明の詳細な説明】
【技術分野】
【０００１】
本願発明は、ヘッド枠とフット枠とを左右のサイド部材（例えばサイドフレーム）で連結したベッドにおけるヘッド枠（又はフット枠）とサイド部材との間に介設してベッド長さを延長させるためのベッド長さ延長具に関するものである。
【背景技術】
【０００２】
マットレスを載せて使用する形式のベッドは、一般に図１０に示すようにように構成されている。即ち、図１０のベッドは、ヘッド枠（ヘッドボード）１とフット枠（フットフレーム）２とを左右のサイドフレーム３で連結して平面矩形の枠組（骨格）を構成し、該枠組内に床板（図示しない）を設置した後、その床板上にマットレス８を載せて使用される。尚、一般に、ヘッド枠１とサイドフレーム３の端部とは金具３２を介して雌ネジ（ビス又はボルト）１２，１２で連結しており、フット枠２とサイドフレーム３の端部も金具３４を介して雌ネジ（ビス又はボルト）３５，３５で連結している。
【０００３】
大人用のベッドとして標準サイズのものは、長さＬ（実質的な長さはサイドフレーム３の長さ）が一定（１９５cm程度）であり、市販されているベッド長さとしては、この標準サイズの長さＬのものがほとんどである。尚、ベッドの幅は、シングルサイズ、セミダブルサイズ、ダブルサイズ等の各種のものがあるが、ベッド長さについては標準サイズの長さＬ（１９５cm程度）のものがほとんどであり、ベッド製作メーカーでは、その標準サイズ長さＬのサイドフレーム３を各種ベッド幅のものに共用している。
【０００４】
ところで、伸長が非常に高い人（例えば１９０cm超の人）では、標準サイズ長さＬ（１９５cm程度）より長いベッドが必要であるが、そのようなロングサイズのベッドは、従来では図１１に示すようにサイドフレーム３として標準サイズ長さ（１９５cm程度）より例えば１０〜１５cm程度長い長さＮ（Ｎ＝２０５cm〜２１０cm）のものを使用している。尚、図１１に示すロングサイズのベッドでは、その長さＮに見合った特別サイズのマットレス８が使用される。
【先行技術文献】
【特許文献】
【０００５】
【特許文献１】特開２００５−２０４９９２号公報（後述）
【特許文献２】特開２００８−１７０号公報（後述）
【発明の概要】
【発明が解決しようとする課題】
【０００６】
ところが、図１１に示すようなロングサイズ（サイドフレーム３の長さＮ）のベッドは、極めて稀にしか需要がないが、ベッド製作メーカーとしては不意の注文に対応するために、ロングサイズベッド用のサイドフレーム３（図１１の長さＮのもの）も在庫しておく必要がある。即ち、ロングサイズベッドの注文を受けてから、それに見合う長さＮのサイドフレーム３を準備しようとすると、ベッドの完成が納期に間に合わない虞れが生じる関係で、ベッド製作メーカーでは、極めて稀にしか必要としないロングサイズＮのサイドフレーム３も在庫として準備しているのが現状である。
【０００７】
このように、従来では、極めて稀にしか必要としないにも拘わらず、ロングサイズＮのサイドフレーム３も在庫していると、その在庫のためのコストがかかるとともに、その保管スペースが必要である（滅多に使用しないロングサイズのサイドフレーム３で保管スペースが拘束される）という問題があった。
【０００８】
又、標準サイズ長さＬのベッドを使用していた人（例えば中高生）が、身長が伸びることによりロングサイズＮのベッドが必要になったときには、新しくロングサイズベッドを買い替える必要があり、その買い替えのための出費が大きくなるという問題もあった。
【０００９】
又、公知の特許文献の中には、特開２００５−２０４９９２号公報（上記特許文献１）や、特開２００８−１７０号公報（上記特許文献２）に示されるように、ベッドのサイドフレーム部分を伸縮自在にして、１台でベッド長さを可変にしたものがある。このようにサイドフレーム部分を伸縮自在にしたベッドでは、１台で各種のベッド長さに設定できるものの、サイドフレーム部分の伸縮機構が複雑となる（製作コストが高くなる）とともに、サイドフレーム部分に伸縮部分がある関係で該サイドフレーム全体の強度が低くなることが予想できるという問題がある。
【００１０】
尚、ベッド長さは、本来、使用者の伸長に応じた所定長さ（不変長さ）のものでよく、購入時に使用者の伸長に応じた所定長さのベッドを購入すれば、後はベッドの長さ調節は一切不要であり、上記のようにサイドフレーム部分に伸縮機構を備えていてもメリットは何もない（コスト高や強度低下になるというデメリットだけが残る）。
【００１１】
そこで、本願発明は、大量に製作される標準サイズのベッド用骨格（ヘッド枠とフット枠と左右のサイド部材）を共用して、ロングサイズのベッドを製作できるようにするためのベッド長さ延長具を提供することを目的としている。
【課題を解決するための手段】
【００１２】
本願発明は、上記課題を解決するための手段として次の構成を有している。
【００１３】
ところで、ベッド用骨格の基本構成は、ヘッド側に位置するヘッド枠（例えばヘッドボード）と、フット側に位置するフット枠（例えばフットフレーム）と、ヘッド枠とフット枠間の左右両サイドに位置する各サイド部材（例えばサイドフレームや本願の第２実施例で説明するボックス引出し等が相当する）とで構成している。
【００１４】
ベッド長さは、実質的にベッド長さとなるサイド部材（サイドフレーム）部分の長さで決まり、ベッド長さの標準サイズ（サイド部材の長さ）は１９５cm程度である。尚、標準サイズのサイド部材（例えばサイドフレーム）は、ベッド幅の異なる各種サイズのベッドに適用できるものであり、ベッド製作メーカーには標準サイズのサイド部材（サイドフレーム）は、在庫として適宜個数保有している。
【００１５】
他方、伸長が非常に高い人（例えば１９０cm超の人）では、標準サイズ長さ（１９５cm程度）より長いベッド（ロングサイズのベッド）が必要である。
【００１６】
そこで、本願発明は、標準サイズ長さのベッド用骨格（特に標準長さのサイド部材）を併用し、ロングサイズのベッドが必要なときにベッド長さを延長させることができるようにしたベッド長さ延長具を対象にしている。
【００１７】
［本願請求項１の発明］
本願請求項１の発明のベッド長さ延長具は、ヘッド枠とフット枠とを左右のサイド部材で連結したベッドにおけるヘッド枠と各サイド部材との間に介設するもので、ベッド長さ方向に所定の幅を有した左右一対の延長具本体を使用している。各延長具本体のベッド長さ方向の幅は例えば１０cm〜１５cm程度でよい。尚、各延長具本体の材料としては、木材やプラスチック材や金属材等が使用可能である。
【００１８】
又、この各延長具本体は、ベッド組立状態における左右の各サイド部材の上面高さと同高さのものが好ましい。尚、該サイド部材上面高さ及び各延長具本体の高さは、例えば２０cm〜３０cmの範囲が適当である。
【００１９】
各延長具本体には、延長具本体のヘッド枠対面部に延長具本体をヘッド枠に連結できるヘッド枠連結手段と、延長具本体のサイド部材対面部に延長具本体をサイド部材に連結できるサイド部材連結手段とをそれぞれ設けている。延長具本体に設けたヘッド枠連結手段及びサイド部材連結手段としては、例えば締結用の雄ネジを受ける金具や、雄ネジを螺合させる雌ネジ筒のような汎用のものが採用できる。
【００２０】
本願請求項１の発明のベッド長さ延長具は、ロングサイズのベッドを製作する際に、標準サイズのベッド用骨格部材に併用して使用するもので、ヘッド枠の左右各端部寄り位置と各サイド部材（サイドフレームやボックス引出し）の一端部との間に介設して使用される。そのとき、各延長具本体を床面上に立て、該延長具本体のヘッド枠対面部をヘッド枠連結手段によりヘッド枠の前面に連結した後、該延長具本体のサイド部材対面部をサイド部材連結手段によりサイド部材の端部に連結することにより、左右の各延長具をヘッド枠と各サイド部材間に固定することができる。尚、左右のサイド部材の各他端部（フット側の端部）にはフット枠が組付けられて、ロングサイズのベッドが完成される。
【００２１】
このように本願請求項１の発明のベッド長さ延長具を使用すると、標準サイズのベッド用骨格（ヘッド枠とフット枠と左右のサイド部材）を併用してロングサイズのベッドを完成させることができる。即ち、標準サイズ長さ（例えば１９５cm）に延長具の幅（１０cm〜１５cm）を加えたロングサイズのベッドを製作できる。
【００２２】
又、各延長具本体の高さをベッド組立状態における左右のサイド部材の上面高さと同高さに設定したものでは、各延長具を組付けた状態では各サイド部材の上面と各延長具の上面とが連続状態で同高さとなり（段差ができない）、それらの上にマットレスを安定姿勢で載せることができる。
【００２３】
［本願請求項２の発明］
本願請求項２の発明のベッド長さ延長具は、ヘッド枠とフット枠とを左右のサイド部材で連結したベッドにおけるフット枠と各サイド部材との間に介設するものである。尚、この請求項２のベッド長さ延長具は、上記請求項１の各延長具をそのまま使用することができる。
【００２４】
この請求項２のベッド長さ延長具でも、ベッド長さ方向に所定の幅を有した左右一対の延長具本体を使用しているとともに、該延長具本体のフット枠対面部に延長具本体をヘッド枠に連結できるフット枠連結手段と、延長具本体のサイド部材対面部に延長具本体をサイド部材に連結できるサイド部材連結手段とをそれぞれ設けている。尚、延長具本体に設けたフット枠連結手段及びサイド部材連結手段としては、上記請求項１のヘッド枠連結手段及びサイド部材連結手段と同様に例えば締結用の雄ネジを受ける金具や、雄ネジを螺合させる雌ネジ筒のような汎用のものが採用できる。
【００２５】
この請求項２のベッド長さ延長具も上記請求項１の延長具と同様に、ロングサイズのベッドを製作する際に、標準サイズのベッド用骨格部材に併用して使用するものでるが、この請求項２の延長具では、フット枠の左右各端部寄り位置と各サイド部材（サイドフレームやボックス引出し）の一端部との間に介設して使用される。そのとき、各延長具本体を床面上に立て、該延長具本体のフット枠対面部をフット枠連結手段によりフット枠の前面に連結する一方、該延長具本体のサイド部材対面部をサイド部材連結手段によりサイド部材の端部に連結することにより、左右の各延長具をフット枠と各サイド部材間に固定することができる。尚、左右のサイド部材の各他端部（ヘッド側の端部）にはヘッド枠が組付けられて、ロングサイズのベッドが完成される。
【００２６】
このように本願請求項２の発明のベッド長さ延長具を使用した場合にも、標準サイズのベッド用骨格（ヘッド枠とフット枠と左右のサイド部材）を併用してロングサイズのベッドを完成させることができる。即ち、標準サイズ長さ（例えば１９５cm）に延長具の幅（１０cm〜１５cm）を加えたロングサイズのベッドを製作できる。
【発明の効果】
【００２７】
本願請求項１及び２の各発明のベッド長さ延長具は、次のような効果がある。
【００２８】
ベッド製作メーカーには、標準サイズの各種ベッド用骨格（ヘッド枠、フット枠、サイド部材等）は在庫として保有しているが、そのほかに本願発明の延長具を併用すれば、標準サイズのベッド用骨格をそのまま使用してロングサイズのベッドを製作することができる。
【００２９】
従って、従来のように滅多に需要のないロングサイズのベッド用のサイド部材を在庫として保管しておく必要がないので、在庫コストを低減できるとともに、該ロングサイズのサイド部材の在庫用スペースが不要となる（本願の延長具は短小であるので、その保管スペースが小さくて済む）、という効果がある。
【００３０】
又、標準サイズ長さのベッドを使用していた人（例えば中高生）が、身長が伸びることによりロングサイズのベッドが必要になったときには、本願の延長具を購入することにより、現在使用している標準サイズベッドを簡単な加工（継ぎ足し）でロングサイズベッドに変更でき、新しくロングサイズベッドを購入する場合に比して費用負担が大幅に軽減できるという効果もある。
【図面の簡単な説明】
【００３１】
【図１】本願第１実施例のベッド長さ延長具と、ヘッド枠及び左右のサイド部材との関連を示す斜視図である。
【図２】図１のベッド長さ延長具をヘッド枠とサイド部材間に介設して組立てたロングサイズベッドの側面図である。
【図３】図２のロングサイズベッドの平面図である。
【図４】本願第２実施例のベッド長さ延長具と、ヘッド枠及び左右のサイド部材との関連を示す斜視図である。
【図５】図４のベッド長さ延長具をヘッド枠とサイド部材間に介設して組立てたロングサイズベッドの平面図である。
【図６】図５のVI−VI拡大断面図である。
【図７】本願第３実施例のベッド長さ延長具と、フット枠及び左右のサイド部材との関連を示す斜視図である。
【図８】図７のベッド長さ延長具をフット枠とサイド部材間に介設して組立てたロングサイズベッドの側面図である。
【図９】図８のロングサイズベッドの平面図である。
【図１０】従来の標準サイズ長さのベッドの側面図である。
【図１１】従来のロングサイズベッドの側面図である。
【発明を実施するための形態】
【実施例】
【００３２】
図１〜図９を参照して本願各実施例のベッド長さ延長具を説明すると、図１〜図３は本願第１実施例のベッド長さ延長具を使用したものであり、図４〜図６は本願第２実施例のベッド長さ延長具を使用したものであり、図７〜図９は本願第３実施例のベッド長さ延長具を使用したものである。又、上記各実施例において、第１実施例（図１〜図３）と第２実施例（図４〜図６）が本願請求項１に対応するものであり、第３実施例（図７〜図９）が本願請求項２に対応するものである。尚、以下の説明では、本願各実施例のベッド長さ延長具を単に延長具ということがある。
【００３３】
［図１〜図３に示す第１実施例］
この第１実施例で使用されている延長具５は、図１及び図３に示すように左右２つを１組として使用するものである。そして、この各延長具５，５は、図２及び図３に示すように、標準サイズのベッド長さ用の各骨格（ヘッド枠１とフット枠２と左右のサイド部材３，３）と併用し、ヘッド枠１と左右の各サイド部材３，３との間に介設して、ベッド長さを標準サイズ長さＬから延長具５の幅Ｍだけ延長させてロングサイズＮのベッド長さにするものである。
【００３４】
この第１実施例のベッドでは、ヘッド枠１として高さの高いヘッドボードを使用し、フット枠２として高さの低いフットフレームを使用し、左右の各サイド部材３，３としてそれぞれサイドフレームを使用している。この第１実施例で使用しているヘッドボード１とフットフレーム２と左右のサイドフレーム３，３はそれぞれ汎用のものであり、それらの骨格だけで標準サイズ長さＬのベッド（図１０のもの）を形成し得るものである。尚、サイドフレーム３の長さＬは１９５cm程度の標準サイズである。
【００３５】
ヘッドボード１と左右の各サイドフレーム３，３、及び左右の各サイドフレーム３，３とフットフレーム２とは、それぞれ既存の連結手段で連結される。即ち、ヘッドボード１には、その左右各側縁部寄りの所定高さ位置におけるフット側に向く面にそれぞれ上下２つの雌ネジ筒１１，１１を埋め込んでおり、各サイドフレーム３，３のヘッド側の端部には、それぞれ金具３２（上下２つのネジ挿通溝を有する）が取付けられている。他方、フットフレーム２には、その左右各側縁部寄りの所定高さ位置におけるヘッド側に向く面にそれぞれ上下２つの雌ネジ筒２１，２１を埋め込んでおり、各サイドフレーム３，３のフット側の端部には、それぞれ金具３４（上下２つのネジ挿通溝を有する）が取付けられている。
【００３６】
そして、ヘッドボード１とフットフレーム２と各サイドフレーム３，３のみで（各延長具５，５を使用しないで）標準サイズ長さＬのベッドを組立てるには、図１〜図３において、左右の各サイドフレーム３，３のヘッド側金具３２をヘッドボード１の左右各端部寄りの所定位置にある雌ネジ筒１１，１１に対して雄ネジ３３，３３で連結する一方、左右の各サイドフレーム３，３のフット側金具３４，３４をフットフレーム２の左右各端部寄りの所定位置にある雌ネジ筒２１，２１に対して雄ネジ３５，３５で連結することにより、図１０に示す標準サイズ長さＬのベッドを完成することができる。
【００３７】
本願第１実施例の各延長具５，５は、図１及び図３に示すように、左右に向きが異なるものの基本構成は同じものである。そして、この各延長具５，５は、短小な四角柱状の延長具本体５０を主体としている。この延長具本体５０の材料としては、木材やプラスチック材や金属材等が使用可能であるが、この実施例では、延長具本体５０として、複数枚の木板を組み合わせて略四角柱状に形成している。
【００３８】
第１実施例の延長具５，５で使用されている延長具本体５０は、下半部に四角筒状の脚部５１を有し、上半部に平面視Ｌ形に組付けた外面板５２と内向き板５３とを有している。各延長具本体５０，５０において、各外面板５２，５２はヘッドボード１に連結される部分であり、各内向き板５３，５３はそれぞれサイドフレーム３，３に連結される部分である。
【００３９】
この延長具本体５０は、図２及び図３に示すように、標準サイズのベッド長さＬ（１９５cm程度）からロングサイズのベッド長さＮ（例えば２０５cm〜２１０cm）にするための所定幅Ｍ（例えば１０〜１５cm）を有している。尚、この実施例では、延長具本体５０として幅Ｍが約１２cmのものを使用している。又、延長具本体５０の高さＨは、ベッド組立状態におけるサイドフレーム３，３の上面高さｈと同じであり、この実施例では延長具本体５０として高さＨが約２６cmのものを使用している。
【００４０】
この各延長具５，５には、外面板５２部分に延長具本体５０をヘッドボード１の上下両雌ネジ筒１１，１１に連結できる金具６Ａ（特許請求範囲中のヘッド枠連結手段となる）と、内向き板５３部分に延長具本体５０をサイドフレーム３に連結できる雌ネジ筒６Ｂ，６Ｂ（特許請求範囲中のサイド部材連結手段となる）とをそれぞれ設けている。外面板５２部分に設けた金具６Ａは、サイドフレーム３の端部に取付けている金具３２と同じものであり、且つヘッドボード１及び延長具５を床面に接地させた状態でヘッドボード１側の各雌ネジ筒１１，１１に対面する高さに設けている。又、内向き板５３部分に設けた雌ネジ筒６Ｂ，６Ｂは、ヘッドボード１に設けている雌ネジ筒１１，１１と同じものであり、且つベッドとして所定高さに組付けられるサイドフレーム３の金具３２に対面する高さに設けている。そして、この第１実施例の延長具５では、金具６Ａ及び雌ネジ筒６Ｂ，６Ｂは延長具本体５０における上部寄り位置に設けている。
【００４１】
延長具５の金具６Ａとヘッドボード１側の各雌ネジ筒１１，１１は、２本の雄ネジ１２，１２で連結することができる一方、サイドフレーム３側の金具３２と延長具５側の各雌ネジ筒６Ｂ，６Ｂは、別の２本の雄ネジ３３，３３で連結できるようになっている。
【００４２】
そして、この第１実施例の各延長具５，５は、ロングサイズのベッドを製作する際に、標準サイズのベッド用骨格部材（ヘッドボード１とフットフレーム２と両サイドフレーム３，３）に併用して次のように使用される。
【００４３】
まず、ヘッドボード１の左右各端部寄り位置におけるフット側の面（上下各雌ネジ筒１１，１１がある）に各延長具５，５の金具６Ａをあてがい、延長具５の金具６Ａを雄ネジ１２，１２で各雌ネジ筒１１，１１に締め付けることによって、各延長具５，５をヘッドボード１に連結する。その場合、ヘッドボード１の底面と各延長具５，５の底面とは同一高さである（それぞれ床面に接地している）。次に、各サイドフレーム３，３の各ヘッド側の端部を各延長具５，５に連結するが、その場合、各サイドフレーム３，３の各フット側の端部（フット側金具３４）をフットフレーム２（雌ネジ筒２１）にそれぞれ雄ネジ３５，３５で連結しておくとよい。そして、各サイドフレーム３，３のヘッド側金具３２を延長具５の雌ネジ筒６Ｂ，６Ｂにあてがい、サイドフレーム３のフット側金具３２を雄ネジ３３，３３で各雌ネジ筒６Ｂ，６Ｂに締め付けることによって、各サイドフレーム３，３と各延長具５，５を連結する（図２及び図３に示すロングサイズＮのベッドを完成できる）。
【００４４】
尚、この第１実施例のベッド組立状態では、図３に示すようにベッドのヘッド側における延長具５の幅部分に床板７のない空間部Ｓがあるが、この空間部Ｓを埋めるために左右の延長具５，５間に別の細幅床板を架設してもよい。
【００４５】
図２及び図３に示すロングサイズベッドの組立状態では、ベッドの実質長さＮ（Ｌ＋Ｍ）が約２０７cmとなり、このロングサイズベッドの上に床板７を載せ（各サイドフレーム３，３内面の各受桟３６，３６上に載せる）、その上にロングサイズＮのマットレス８を載せることができる。又、ロングサイズベッドの組立状態では、図２に示すように各サイドフレーム３，３の上面高さｈと各延長具５，５の上面高さＨとが同高さとなっており、且つ床板７の上面も各サイドフレーム３，３及び各延長具５，５の上面と同高さであるので（段差ができない）、それらの上にマットレス８を安定姿勢で載せることができる。
【００４６】
ところで、ベッド製作メーカーには、標準サイズ長さＬの各種ベッド用骨格（ヘッドボード１、フットフレーム２、サイドフレーム３等）は在庫として保有しているが、そのほかにこの実施例で示す左右１組の延長具５，５を併用すれば、標準サイズのベッド用骨格をそのまま使用してロングサイズＮのベッドを製作することができる。従って、従来のように滅多に需要のないロングサイズＮのベッド用のサイドフレーム（図１１のもの）を在庫として保管しておく必要がないので、在庫コストを低減できるとともに、該ロングサイズのサイドフレームの在庫用スペースが不要となる（本願の延長具５は短小であるので、その保管スペースが小さくて済む）。
【００４７】
又、標準サイズ長さＬのベッドを使用していた人（例えば中高生）が、身長が伸びることによりロングサイズＮのベッドが必要になったときには、本願の延長具５，５を購入することにより、現在使用している標準サイズベッドを簡単な加工（継ぎ足し）でロングサイズベッドに変更でき、新しくロングサイズベッドを購入する場合に比して費用負担が大幅に軽減できる
［図４〜図６に示す第２実施例］
この第２実施例で使用されている左右１組の延長具５，５は、図４〜図６に示すように、ベッドの一方（図示例では右側）のサイド部材３としてボックス引出し４を使用したものに適用されるものである。
【００４８】
即ち、ベッドの中には、図４〜図６に示すように一方（図示例では右側）の側部にボックス引出し４を設けたものがあるが、この実施例のボックス引出し４は、外箱４０内に複数（図示例では３つ）の内箱４１，４１，４１を出し入れ自在に収容したものである。又、外箱４０は、上板４２と下板４３と左右の側板４４，４４と後板４５を有しているとともに、外箱４０内に補強兼用の複数（２枚）の仕切板４６，４６を設けている。外箱４０の後板４５の後面には、床板７を載せるための受桟４７が設けられている。尚、各内箱４１，４１，４１は、図５に鎖線図示（符号４１′）するようにそれぞれベッドの側方に引き出すことができるようになっている。
【００４９】
ボックス引出し４の外箱４０は、ベッド長さ方向に標準サイズ長さＬのサイドフレーム３と同長さ（１９５cm程度）を有し、ベッドの中心方向に適宜の奥行き長さ（図示例ではベッド幅の約半分長さ）を有している。又、該外箱４０の高さｈ（上板４２の上面と下板４３の下面との高さ）は、約２６cmである。
【００５０】
他方側のベッド側部にはサイドフレーム３が使用されているが、この第２実施例で使用するサイドフレーム３は、図４に示すようにボックス引出し４の外箱４０の高さと同高さｈのものを使用している。又、このサイドフレーム３の内面側にも床板７を載せるための受桟３６が設けられているが、このサイドフレーム側の受桟３６とボックス引出し４（外箱後板４５）側の受桟４７とは同高さに位置している。
【００５１】
この第２実施例で使用される左右の延長具５，５でも、その延長具本体５０として、外面板５２の幅Ｍが１２cmで、全高Ｈが２６cm（外箱４０及びサイドフレーム３の各高さｈと同じ）のものを使用している。又、延長具本体５０は、全高Ｈに亘って外面板５２と内向き板５３とを平面視Ｌ形に組付けたものを使用しているとともに、そのＬ形内部の上部寄り位置に補強兼用の棚板５４を設けている。この棚板５４は、後述するように対向配置した両延長具５，５間に細幅の床板７ａ（図５、図６）を載せるためのものである。尚、外面板５２と内向き板５３のＬ形内部の下部寄り位置にも補強板を設けているが、この下部寄りの補強板は、単に補強のためのものである。
【００５２】
この第２実施例の延長具５でも、外面板５２の内面にヘッドボード１の各雌ネジ筒１１，１１に連結する金具（特許請求範囲中のヘッド枠連結手段となる）６Ａを取付けているとともに、内向き板５３のフット側の面にボックス引出し４（一方のサイド部材３となる）の側板４４を連結する各雌ネジ筒６Ｂ，６Ｂ（特許請求範囲中のサイド部材連結手段となる）を有しているが、この第２実施例の延長具５では、延長具本体５０の上部寄り位置に上記棚板５４が設けられている関係で、該金具６Ａ及び該各雌ネジ筒６Ｂ，６Ｂを延長具本体５０の上下高さの中央付近に設けている。
【００５３】
この場合、ヘッドボード１の左右両端部に設けている上下２つの雌ネジ筒１１，１１は、延長具５の金具６Ａを連結し得る高さ（第１実施例のものより低い高さ）に設けている一方、ボックス引出し４の外箱側板４４の開口寄りで延長具５の各雌ネジ筒６Ｂ，６Ｂと同高さ位置に上下２つのネジ挿通穴４８，４８を設けている。又、他方（左側）のサイドフレーム３のヘッド側の端部に設けた金具３２も、延長具５の雌ネジ筒６Ｂ，６Ｂに連結し得る高さに設けている。
【００５４】
そして、一方（右側）の延長具５は、図６に拡大図示するように、外面板５２部分の金具６Ａを介してヘッドボード１の右側の上下各雌ネジ筒１１，１１に対して２本の雄ネジ１２，１２で連結する一方、内向き板５３部分の各雌ネジ筒６Ｂ，６Ｂに対してボックス引出し４の外箱側板４４に設けた上下２つのネジ挿通穴４８，４８を通して２本の雄ネジ３３，３３で連結することで、ヘッドボード１とボックス引出し４間に固定される。尚、ボックス引出し４の外箱側板４４を延長具５に連結するには、各雄ネジ３３，３３を外箱側板４４の内面側からネジ込むが、側板４４の高さ方向中央付近（作業スペースが広い）で行うと雄ネジ３３のネジ込み作業がし易くなるとともに、側板４４の高さ方向中央付近でネジ固定すると外箱４０と延長具５との連結強度が強くなる。
【００５５】
又、他方（左側）の延長具５は、外面板５２部分の金具６Ａを介してヘッドボード１の左側の上下各雌ネジ筒１１，１１に対して２本の雄ネジ１２，１２で連結する一方、内向き板５３部分の各雌ネジ筒６Ｂ，６Ｂに対してサイドフレーム３のヘッド側の端部に設けた金具３２を２本の雄ネジ３３，３３で連結することで、ヘッドボード１とサイドフレーム３間に固定される。
【００５６】
尚、図５に示すように、フットフレーム２の左右両端寄り位置にはそれぞれ上下２つの雌ネジ筒２１，２１が設けられており、フットフレーム２の右側雌ネジ筒２１（上下２つある）に対してボックス引出し４（外箱４０）のフット側の側板４４を雄ネジ３５（上下２本）で連結する一方、フットフレーム２の左側雌ネジ筒２１（上下２つある）に対してサイドフレーム３のフット側の端部に設けた金具３４を介して雄ネジ３５（上下２本）で連結することで、ロングサイズＮのベッド骨格の組立が完了する。
【００５７】
その後、図５に示すように、ボックス引出し４の後板４５とサイドフレーム３との間の空間部に床板７を載せ、左右の延長具５，５の各棚板５４，５４間にも細幅床板７ａを載せる。この状態（図５）では、サイドフレーム３の上面と、フットフレーム２の上面と、ボックス引出し４（外箱４０）の上面と、床板７及び細幅床板７ａの各上面とが相互に同一高さとなり、それらの上にマットレス８（図６）を安定姿勢で載せることができる。尚、左右の延長具５，５の各棚板５４，５４間に細幅床板７ａを載せていると、そこの隙間部分を埋めることができるので、マットレス８を一層安定姿勢で載せることができる。
【００５８】
この第２実施例の延長具５は、一方（右側）のサイド部材３としてボックス引出し４を使用する場合に適したものであるが、この延長具５，５を使用すると、一方のサイド部材３にボックス引出し４を使用したものであっても、標準サイズ長さＬ用のベッド骨格（ヘッドボード１、フットフレーム２、１つのサイドフレーム３、１つのボックス引出し４で構成される）を併用して、ロングサイズＮのベッドを完成させることができる。
【００５９】
［図７〜図９の第３実施例］
図７〜図９に示す第３実施例の各延長具５，５は、左右のサイドフレーム３，３とフットフレーム２との間に介設してロングサイズＮのベッドを完成させるためのものである。尚、図７はベッドのフット側を示し、図８及び図９はベッド全体を図２及び図３（第１実施例）とは左右逆向きに表示している。
【００６０】
この第３実施例の延長具５，５は、上記第１実施例（図１）の延長具と同じものであって、この第３実施例の延長具５の基本構成については上記第１実施例の説明を援用する。
【００６１】
この第３実施例の延長具５でも、延長具本体５０の外面板５２に連結用の金具６Ｃが取付けられている一方、延長具本体５０の内向き板５３に上下２つの雌ネジ筒６Ｄ，６Ｄが設けられている。そして、この第３実施例の延長具５では、延長具本体５０の金具６Ｃがフットフレーム２の上下各雌ネジ筒２１，２１に連結するための連結手段（本願請求項２におけるフット枠連結手段）となるものであり、延長具本体５０の各雌ネジ筒６Ｄ，６Ｄがサイドフレーム３のフット側の端部の金具３４を連結させるための連結手段（サイド部材連結手段）となるものである。
【００６２】
そして、この第３実施例の延長具５，５は、ロングサイズのベッドを製作する際に、標準サイズのベッド用骨格部材（ヘッドボード１とフットフレーム２と両サイドフレーム３，３）に併用して次のように使用される。
【００６３】
まず、フットフレーム２の左右各端部寄り位置におけるヘッド側の面（上下各雌ネジ筒２１，２１がある）に各延長具５，５の金具６Ｃをあてがい、延長具５の金具６Ｃを雄ネジ１２，１２で各雌ネジ筒２１，２１に締め付けることによって、各延長具５，５をフットフレーム２に連結する。その場合、フットフレーム２の底面（各支持脚の下面）と各延長具５，５の底面とは同一高さである（それぞれ床面に接地している）。次に、各サイドフレーム３，３の各フット側の端部を各延長具５，５に連結するが、その場合、各サイドフレーム３，３の各ヘッド側の端部（ヘッド側金具３２）をヘッドボード１（雌ネジ筒１１）にそれぞれ雄ネジ１２，１２で連結しておくとよい。そして、各サイドフレーム３，３のフット側金具３４を延長具５の雌ネジ筒６Ｄ，６Ｄにあてがい、サイドフレーム３のフット側金具３４を雄ネジ３５，３５で各雌ネジ筒６Ｄ，６Ｄに締め付けることによって、各サイドフレーム３，３と各延長具５，５を連結する（図８及び図９に示すロングサイズＮのベッドを完成できる）。
【００６４】
図８及び図９に示すロングサイズベッドの組立状態でも、ベッドの実質長さＮ（Ｌ＋Ｍ）が約２０７cmとなり、このロングサイズベッドの上に床板７を載せ、その上にロングサイズＮのマットレス８を載せることができる。
【００６５】
尚、この第３実施例の場合も、図９に示すようにベッドのフット側における延長具５の幅部分に床板７のない空間部Ｓがあるが、この空間部Ｓを埋めるために左右の延長具５，５間に別の細幅床板を架設してもよい。
【００６６】
この第３実施例のように、各延長具５，５をフットフレーム２と各サイドフレーム３，３間に介設した場合でも、標準サイズ長さＬの各種ベッド用骨格（ヘッドボード１、フットフレーム２、サイドフレーム３等）をそのまま使用してロングサイズＮのベッドを製作することができる。
【００６７】
尚、この第３実施例のように各延長具５，５をフットフレーム２側に設けるものにおいて、一方のサイド部材として第２実施例に示すボックス引出し４を採用することも可能なことは勿論である。
【符号の説明】
【００６８】
１はヘッド枠（ヘッドボード）、２はフット枠（フットフレーム）、３はサイド部材（サイドフレーム）、４はボックス引出し、５は延長具、６Ａはヘッド枠連結手段（金具）、６Ｂはサイド部材連結手段（雌ネジ筒）、６Ｃはフット枠連結手段（金具）、６Ｄはサイド部材連結手段（雌ネジ筒）、７は床板、８はマットレス、１１は雌ネジ筒、１２は雄ネジ、３２は金具、３３は雄ネジ、５０は延長具本体、５２は外面板、５３は内向き板、５４は棚板である。
【図１】
2011005156.tif 000003
【図２】
2011005156.tif 000004
【図３】
2011005156.tif 000005
【図４】
2011005156.tif 000006
【図５】
2011005156.tif 000007
【図６】
2011005156.tif 000008
【図７】
2011005156.tif 000009
【図８】
2011005156.tif 000010
【図９】
2011005156.tif 000011
【図１０】
2011005156.tif 000012
【図１１】
2011005156.tif 000013